(57)【特許請求の範囲】
【請求項１】
セルを中央エリアおよびエッジエリアに分割するステップを含み、さらに、
セル固有基準符号ＣＲＳを中央ＣＲＳ、エッジＣＲＳおよび共通ＣＲＳに分割し、前記中央ＣＲＳはセル中央エリアが使用する伝送リソースセクションに位置してかつ前記中央エリア専用チャネルと同一符号であるＣＲＳであり、前記エッジＣＲＳはセルエッジエリアが使用する伝送リソースセクションに位置してかつ前記エッジエリア専用チャネルと同一符号であるＣＲＳであり、前記共通ＣＲＳは前記中央ＣＲＳおよびエッジＣＲＳ以外の、ダウンリンク共通チャネル周波数領域と隣接し、同一符号であるＣＲＳであるステップと、
設定された基準リソース単位あたりエネルギーＥＰＲＥに基づいて一定の第１パワー値を上げ、前記エッジＣＲＳのＥＰＲＥの値に構成するステップと、
設定された基準ＥＰＲＥに基づいて一定の第２パワー値を下げ、前記中央ＣＲＳのＥＰＲＥの値に構成するステップと、
基準ＥＰＲＥを前記共通ＣＲＳのＥＰＲＥの値に構成するステップと、
を含むセル固有の基準信号の構成方法。
【請求項２】
前記専用チャネルは、
ＵＥ専用データをベアラする物理ダウンリンク共有チャネルＰＤＳＣＨおよびＵＥ専用スケジュール情報をベアラする物理ダウンリンク制御チャネルＰＤＣＣＨを含む請求項１に記載の方法。
【請求項３】
前記伝送リソースが周波数領域リソースである場合に、前記第１パワー値、第２パワー値は下記方式で確定され、
設定されたセルエッジエリアの専用ＰＤＳＣＨのＥＰＲＥと基準ＥＰＲＥとの第１差値、及びセル中央エリアの専用ＰＤＳＣＨのＥＰＲＥと基準ＥＰＲＥとの第２差値を確定し、
第１パワー値を第１差値に等しく、第２パワー値を第２差値に等しいように設定し、
前記第１差値、第１パワー値、第２差値および第２パワー値が、構成されたセル中央エリアの専用ＰＤＳＣＨと中央ＣＲＳ、セルエッジエリアの専用ＰＤＳＣＨとエッジＣＲＳ、共通ＣＲＳとセル共通チャネルは、同一符号におけるパワーの和がセル最大パワー以下であることを満たす請求項２に記載の方法。
【請求項４】
前記伝送リソースが周波数領域リソースである場合に、前記第１パワー値、第２パワー値は下記方式で確定され、
設定されたセルエッジエリアの専用ＰＤＳＣＨのＥＰＲＥと基準ＥＰＲＥとの第１差値、及びセル中央エリアの専用ＰＤＳＣＨのＥＰＲＥと基準ＥＰＲＥとの第２差値を確定し、
システム模擬およびネットワークテストの結果により、第１差値に基づいて調整を行い、第１パワー値を取得し、第２差値に基づいて調整を行い、第２パワー値を取得し、
前記第１差値、第１パワー値、第２差値および第２パワー値が、構成されたセル中央エリアの専用ＰＤＳＣＨと中央ＣＲＳ、セルエッジエリアの専用ＰＤＳＣＨとエッジＣＲＳ、共通ＣＲＳとセル共通チャネルは、同一符号におけるパワーの和がセル最大パワー以下であることを満たす請求項２に記載の方法。
【請求項５】
前記伝送リソースが時間領域リソースである場合に、前記第１パワー値、第２パワー値は下記方式で取得され、
設定されたセルエッジエリアの専用ＰＤＳＣＨのＥＰＲＥと基準ＥＰＲＥとの第１差値を確定し、
専用ＰＤＳＣＨと同一符号であるエッジＣＲＳの第１パワー値を前記第１差値に等しいように設定し、
設定されたセル中央エリアの専用ＰＤＳＣＨのＥＰＲＥと基準ＥＰＲＥとの第２差値を確定し、
専用ＰＤＳＣＨと同一符号である中央ＣＲＳの第２パワー値を前記第２差値に等しいように設定し、
設定されたセルエッジエリアの専用ＰＤＣＣＨのＥＰＲＥと基準ＥＰＲＥとの第３差値を確定し、
専用ＰＤＣＣＨと同一符号であるエッジＣＲＳの第１パワー値を前記第３差値に等しいように設定し、
設定されたセル中央エリアの専用ＰＤＣＣＨのＥＰＲＥと基準ＥＰＲＥとの第４差値を確定し、
専用ＰＤＣＣＨと同一符号である中央ＣＲＳの第２パワー値を前記第４差値に等しいように設定し、
前記第１差値、前記専用ＰＤＳＣＨと同一符号であるエッジＣＲＳの第１パワー値、前記第２差値、前記専用ＰＤＳＣＨと同一符号である中央ＣＲＳの第２パワー値、前記第３差値、前記専用ＰＤＣＣＨと同一符号であるエッジＣＲＳの第１パワー値、前記第４差値及び前記専用ＰＤＣＣＨと同一符号である中央ＣＲＳの第２パワー値が、構成されたセル中央エリアの専用ＰＤＣＣＨ、専用ＰＤＳＣＨと中央ＣＲＳ、セルエッジエリアの専用ＰＤＣＣＨ、専用ＰＤＳＣＨとエッジＣＲＳ、共通ＣＲＳ及びセル共通チャネルは、同一符号におけるパワーの和がセル最大パワー以下であることを満たす請求項２に記載の方法。
【請求項６】
前記伝送リソースが時間領域リソースである場合に、前記第１パワー値、第２パワー値は下記方式で取得され、
設定されたセルエッジエリアの専用ＰＤＳＣＨのＥＰＲＥと基準ＥＰＲＥとの第１差値、設定されたセル中央エリアの専用ＰＤＳＣＨのＥＰＲＥと基準ＥＰＲＥとの第２差値、設定されたセルエッジエリアの専用ＰＤＣＣＨのＥＰＲＥと基準ＥＰＲＥとの第３差値及び設定されたセル中央エリアの専用ＰＤＣＣＨのＥＰＲＥと基準ＥＰＲＥとの第４差値を確定し、
システム模擬およびネットワークテストの結果により、それぞれ上記された第１差値、第２差値、第３差値および第４差値に基づいて調整を行い、専用ＰＤＳＣＨと同一符号であるエッジＣＲＳの第１パワー値、専用ＰＤＳＣＨと同一符号である中央ＣＲＳの第２パワー値、専用ＰＤＣＣＨと同一符号であるエッジＣＲＳの第１パワー値及び専用ＰＤＣＣＨと同一符号である中央ＣＲＳの第２パワー値を取得し、
前記第１差値、前記専用ＰＤＳＣＨと同一符号であるエッジＣＲＳの第１パワー値、前記第２差値、前記専用ＰＤＳＣＨと同一符号である中央ＣＲＳの第２パワー値、前記第３差値、前記専用ＰＤＣＣＨと同一符号であるエッジＣＲＳの第１パワー値、前記第４差値及び前記専用ＰＤＣＣＨと同一符号である中央ＣＲＳの第２パワー値が、構成されたセル中央エリアの専用ＰＤＣＣＨ、専用ＰＤＳＣＨと中央ＣＲＳ、セルエッジエリアの専用ＰＤＣＣＨ、専用ＰＤＳＣＨとエッジＣＲＳ、共通ＣＲＳ及びセル共通チャネルは、同一符号におけるパワーの和がセル最大パワー以下であることを満たす請求項２に記載の方法。
【請求項７】
構成されたセルエッジエリアの専用ＰＤＳＣＨと同一符号であるエッジＣＲＳとのＥＰＲＥパワー差、セル中央エリアの専用ＰＤＳＣＨと同一符号である中央ＣＲＳとのＥＰＲＥパワー差をシグナリング再構成メッセージによりセルにおけるＵＥに通知するステップを更に含む請求項４または６に記載の方法。
【請求項８】
セルを中央エリアおよびエッジエリアに分割することに用いられるセル分割ユニットと、
セル固有基準符号ＣＲＳを中央ＣＲＳ、エッジＣＲＳおよび共通ＣＲＳに分割することに用いられ、前記中央ＣＲＳはセル中央エリアが使用する伝送リソースセクションに位置してかつ前記中央エリアの専用チャネルと同一符号であるＣＲＳであり、前記エッジＣＲＳはセルエッジエリアが使用する伝送リソースセクションに位置してかつ前記エッジエリアの専用チャネルと同一符号であるＣＲＳであり、前記共通ＣＲＳは前記中央ＣＲＳおよびエッジＣＲＳ以外の、ダウンリンク共通チャネル周波数領域と隣接し、同一符号であるＣＲＳであるＣＲＳ分割ユニットと、
設定された基準リソース要素単位あたりエネルギーＥＰＲＥに基づいて一定の第１パワー値を上げ、前記エッジＣＲＳのＥＰＲＥの値に構成し、設定された基準ＥＰＲＥに基づいて一定の第２パワー値を下げ、前記中央ＣＲＳのＥＰＲＥの値に構成し、基準ＥＰＲＥを前記共通ＣＲＳのＥＰＲＥの値に構成することに用いられる構成ユニットと、を含むセル固有の基準信号ＣＲＳの構成装置。
【請求項９】
前記構成ユニットは、
設定されたセルエッジエリアの専用ＰＤＳＣＨのＥＰＲＥと基準ＥＰＲＥとの第１差値及びセル中央エリアの専用ＰＤＳＣＨのＥＰＲＥと基準ＥＰＲＥとの第２差値を確定することに用いられる確定サブユニットと、
第１パワー値を第１差値に等しく、第２パワー値を第２差値に等しいように設定することに用いられる値取得サブユニットとを更に含み、
前記第１差値、第１パワー値、第２差値および第２パワー値が、構成されたセル中央エリアの専用ＰＤＳＣＨと中央ＣＲＳ、セルエッジエリアの専用ＰＤＳＣＨとエッジＣＲＳ、共通ＣＲＳとセル共通チャネルは、同一符号におけるパワーの和がセル最大パワー以下であることを満たす請求項８に記載の装置。
【請求項１０】
前記構成ユニットは、
設定されたセルエッジエリアの専用ＰＤＳＣＨのＥＰＲＥと基準ＥＰＲＥとの第１差値及びセル中央エリアの専用ＰＤＳＣＨのＥＰＲＥと基準ＥＰＲＥとの第２差値を確定することに用いられる確定サブユニットと、
システム模擬およびネットワークテストの結果により、第１差値に基づいて調整を行い、第１パワー値を取得し、第２差値に基づいて調整を行い、第２パワー値を取得することに用いられる値取得サブユニットと、を含み、
前記第１差値、第１パワー値、第２差値および第２パワー値が、構成されたセル中央エリアの専用ＰＤＳＣＨと中央ＣＲＳ、セルエッジエリアの専用ＰＤＳＣＨとエッジＣＲＳ、共通ＣＲＳとセル共通チャネルは、同一符号におけるパワーの和がセル最大パワー以下であることを満たす請求項８に記載の装置。
【請求項１１】
前記構成ユニットは、
設定されたセルエッジエリアの専用ＰＤＳＣＨのＥＰＲＥと基準ＥＰＲＥとの第１差値、セル中央エリアの専用ＰＤＳＣＨのＥＰＲＥと基準ＥＰＲＥとの第２差値、セルエッジエリアの専用ＰＤＣＣＨのＥＰＲＥと基準ＥＰＲＥとの第３差値及びセル中央エリアの専用ＰＤＣＣＨのＥＰＲＥと基準ＥＰＲＥとの第４差値を確定することに用いられる確定サブユニットと、
それぞれ専用ＰＤＳＣＨと同一符号であるエッジＣＲＳの第１パワー値を前記第１差値に等しく、専用ＰＤＳＣＨと同一符号である中央ＣＲＳの第２パワー値を前記第２差値に等しく、専用ＰＤＣＣＨと同一符号であるエッジＣＲＳの第１パワー値を前記第３差値に等しく、専用ＰＤＣＣＨと同一符号である中央ＣＲＳの第２パワー値を前記第４差値に等しいように設定することに用いられる値取得サブユニットと、を含み、
前記第１差値、前記専用ＰＤＳＣＨと同一符号であるエッジＣＲＳの第１パワー値、前記第２差値、前記専用ＰＤＳＣＨと同一符号である中央ＣＲＳの第２パワー値、前記第３差値、前記専用ＰＤＣＣＨと同一符号であるエッジＣＲＳの第１パワー値、前記第４差値及び前記専用ＰＤＣＣＨと同一符号である中央ＣＲＳの第２パワー値が、構成されたセル中央エリアの専用ＰＤＣＣＨ、専用ＰＤＳＣＨと中央ＣＲＳ、セルエッジエリアの専用ＰＤＣＣＨ、専用ＰＤＳＣＨとエッジＣＲＳ、共通ＣＲＳとセル共通チャネルは、同一符号におけるパワーの和がセル最大パワー以下であることを満たす請求項８に記載の装置。
【請求項１２】
前記構成ユニットは、
設定されたセルエッジエリアの専用ＰＤＳＣＨのＥＰＲＥと基準ＥＰＲＥとの第１差値、設定されたセル中央エリアの専用ＰＤＳＣＨのＥＰＲＥと基準ＥＰＲＥとの第２差値、設定されたセルエッジエリアの専用ＰＤＣＣＨのＥＰＲＥと基準ＥＰＲＥとの第３差値及び設定されたセル中央エリアの専用ＰＤＣＣＨのＥＰＲＥと基準ＥＰＲＥとの第４差値を確定することに用いられる確定サブユニットと、
システム模擬およびネットワークテストの結果により、それぞれ上述された第１差値、第２差値、第３差値および第４差値に基づいて調整を行い、専用ＰＤＳＣＨと同一符号であるエッジＣＲＳの第１パワー値、専用ＰＤＳＣＨと同一符号である中央ＣＲＳの第２パワー値、専用ＰＤＣＣＨと同一符号であるエッジＣＲＳの第１パワー値及び専用ＰＤＣＣＨと同一符号である中央ＣＲＳの第２パワー値を取得することに用いられる値取得サブユニットと、を含み、
前記第１差値、前記専用ＰＤＳＣＨと同一符号であるエッジＣＲＳの第１パワー値、前記第２差値、前記専用ＰＤＳＣＨと同一符号である中央ＣＲＳの第２パワー値、前記第３差値、前記専用ＰＤＣＣＨと同一符号であるエッジＣＲＳの第１パワー値、前記第４差値及び前記専用ＰＤＣＣＨと同一符号である中央ＣＲＳの第２パワー値が、構成されたセル中央エリアの専用ＰＤＣＣＨ、専用ＰＤＳＣＨと中央ＣＲＳ、セルエッジエリアの専用ＰＤＣＣＨ、専用ＰＤＳＣＨとエッジＣＲＳ、共通ＣＲＳ及びセル共通チャネルは、同一符号におけるパワーの和がセル最大パワー以下であることを満たす請求項８に記載の装置。
【請求項１３】
構成されたセルエッジエリアの専用ＰＤＳＣＨと同一符号であるエッジＣＲＳとのＥＰＲＥパワー差及びセル中央エリアの専用ＰＤＳＣＨと同一符号である中央ＣＲＳとのＥＰＲＥパワー差を、シグナリング再構成メッセージによりセルにおけるＵＥに通知することに用いられるシグナリング再構成メッセージ送信ユニットを更に含む請求項１０または１２に記載の装置。
【発明の詳細な説明】
【技術分野】
【０００１】
本発明は移動通信分野に関し、特に、セル固有の基準信号（ＣＲＳ）の構成方法及び装置に関する。
【背景技術】
【０００２】
第４世代ロング・ターム・エボリューション（ＬＴＥ、Ｌｏｎｇ  Ｔｅｒｍ  Ｅｖｏｌｕｔｉｏｎ）システムにおける基準信号（ＲＳ、Ｒｅｆｅｒｅｎｃｅ  Ｓｉｇｎａｌ）は受信側が既知であるパイロット信号であり、受信側のチャネル推定と関連測定に供する。それは受信信号の復調、干渉除去、信号対干渉雑音比（ＳＩＮＲ、Ｓｉｇｎａｌ  Ｉｎｔｅｒｆｅｒｅｎｃｅ  Ｎｏｉｓｅ  Ｒａｔｉｏ）の向上、ユーザ装置（ＵＥ、Ｕｓｅｒ  Ｅｑｕｉｐｍｅｎｔ、端末とも称する）のセル再選択、ハンドオーバー等に対して非常に重要な作用を有する。
【０００３】
ＬＴＥにおけるＲＳは複数種があり、その中では、ＬＴＥの基地局ｅＮＢ（Ｅｖｏｌｖｅｄ  ＮｏｄｅＢ）がＵＥに送信するセル固有の基準信号（ＣＲＳ、Ｃｅｌｌ−Ｓｐｅｃｉｆｉｃ  ＲＳ）は、セル継続送信であり、セル内のすべてのＵＥがセルのダウンリンクチャネル品質に対する推定と測定に供する共通基準信号である。
【０００４】
ＬＴＥは第３世代移動通信に比べると、単一セルが更に高いスペクトル効率を取得することができるが、複数セルの連続同周波数ネットワーキングの場合に、セル間の干渉問題が非常に厳重となり、スペクトル効率を深刻に低減させる。このため、ＬＴＥにはセル間干渉調整（ＩＣＩＣ、Ｉｎｔｅｒ  Ｃｅｌｌ  Ｉｎｔｅｒｆｅｒｅｎｃｅ  Ｃｏｏｒｄｉｎａｔｉｏｎ）技術が提出され、図１に示すように、セルがセル中央エリアとエッジエリア（白色はセル中央エリアであり、パターン付きのはセルエッジエリアである。また、あるＩＣＩＣ方案は内環、中環、外環３つのエリアを分割する。）に分割される。図１は７つのセル１〜７であり、その中では、セル１はその他の６つのセル２〜７と互に隣接セルとなる。セル中央のＵＥは伝送リソース全体を使用でき、セルエッジ（即ち、隣接セルと接続するハンドオーバーエリア）のＵＥは伝送リソースの一部のみを使用でき、かつ隣接セルエッジＵＥ用のリソースが異なり、即ち相互に直交する。
【０００５】
伝送リソースは周波数領域リソースであってもよく、例えば、周波数バンドであり、図２に示すように、これは周波数領域に基づくＩＣＩＣであり、セル中央は周波数バンドリソースＦ全体を使用でき、セルエッジは周波数バンド全体の一部の周波数バンドリソースのみ（例えば、Ｆ１、Ｆ２、Ｆ３）を使用でき、かつ隣接セルエッジが使用する周波数バンドは異なっている。伝送リソースは時間領域リソースであってもよく、例えば、時間期間であり、図３に示すように、これは時間領域に基づくＩＣＩＣであり、セル中央は時間期間リソースＴ全体を使用でき、セルエッジは時間期間全体の一部の時間期間リソースのみ（例えば、Ｔ１、Ｔ２、Ｔ３）を使用でき、かつ隣接セルエッジが使用する時間期間は異なっている。
【０００６】
ＬＴＥのＩＣＩＣの具体的な実現では、通常、ＵＥが位置するエリアに応じて、ＵＥの「専用チャネル」に対してパワーの固有設定を行う。例えば、周波数領域に基づくＩＣＩＣは、ＵＥに固有周波数バンドに配分され、ＵＥ専用データをベアラする物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）に対するパワーの固有設定である。時間領域に基づくＩＣＩＣは、ＵＥに固有時間期間に配分され、ＵＥ専用スケジュール情報をベアラする物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）およびＵＥ専用データをベアラするＰＤＳＣＨに対するパワーの固有設定であり、上記固有設定は、主にエッジ伝送リソースパワーを向上させ、中央伝送リソースのパワーを低減させることである。しかしながら、セルすべてのＵＥに対する共通チャネルまたは信号に対して、例えば、物理放送チャネル（ＰＢＣＨ、Ｐｈｙｓｉｃａｌ  Ｂｒｏａｄｃａｓｔｉｎｇ  Ｃｈａｎｎｅｌ）、物理制御フォーマット指示チャネル（ＰＣＦＩＣＨ、Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、物理混合自動要求再送指示チャネル（ＰＨＩＣＨ、Ｐｈｙｓｉｃａｌ  ｈｙＢｒｉｄ  ＡＲＱ  Ｉｎｄｉｃａｔｏｒ  Ｃｈａｎｎｅｌ）、スケジュール共通情報チャネル（ＢＣＨ、Ｂｒｏａｄｃａｓｔｉｎｇ  Ｃｈａｎｎｅｌ）と呼出チャネル（ＰＣＨ、Ｐａｇｉｎｇ  Ｃｈａｎｎｅｌ）をベアラする共通ＰＤＣＣＨ、共通情報チャネルＢＣＨとＰＣＨデータをベアラする共通ＰＤＳＣＨ及びＣＲＳ、いずれもパワーの固有設定を行わなく、即ち、基準パワーを用いる。しかしながら、ＣＲＳのＥＰＲＥ（Ｅｎｅｒｇｙ  ｐｅｒ  Ｒｅｓｏｕｒｃｅ  Ｅｌｅｍｅｎｔ、リソース単位あたりエネルギー）は、通常、ネットワーク計画とネットワーク最適化によってバックグラウンドのネットワーク管理で構成された１つのセルレベルの固定値でもあり、即ちＣＲＳの各ＲＥの送信パワーはいずれもデフォルト固定でかつ同じである。
【０００７】
しかしながら、ＣＲＳは隣接セルの同一符号位置上のその他のチャネル、例えばＰＤＣＣＨ、ＰＤＳＣＨに対して同一周波数干渉を生み出し、これは隣接セルのＣＲＳが周波数領域において通常にシフトされているので、互に干渉しなく、図４に示すように、小さいなボックスはそれぞれ１つのＲＥを示し、ボックスＴ０１はセル１のＣＲＳのＲＥを示し、ボックスＴ０２はセル２のＣＲＳのＲＥを示し、ボックスＤはデータのＲＥを示し、セル１とセル２とは隣接セルであり、セルＴ０１とセルＴ０２のＣＲＳのＲＥ周波数領域位置はシフトされているが、このような構成方法により、ＣＲＳが隣接セル同一符号であるＰＤＣＣＨ、ＰＣＦＩＣＨ、ＰＨＩＣＨ、ＰＤＳＣＨ等と周波数領域において衝突するようになり、同一周波数干渉を形成する。ＣＲＳは時間領域、周波数領域、空間領域においていずれも継続送信するものであるため、干渉影響を無視することができなく、特にセルエッジのＵＥは、干渉が極めて顕著である。理論分析に基づき、システム模擬及び実際テストにより、１つのみの隣接セルでかつアイドルの場合に、隣接セルＣＲＳの干渉によりセルエッジＵＥのＰＤＳＣＨのダウンリンクスループットは半分に低減するようになり、セル間ハンドオーバーの時はさらに大幅に低減する。
【発明の概要】
【発明が解決しようとする課題】
【０００８】
本発明の実施形態は、従来のＣＲＳが隣接セル同一符号である専用チャネルと共通チャネルに対して生み出す同一周波数干渉の問題を解決するために、セル固有の基準信号の構成方法及び装置を提供した。
【課題を解決するための手段】
【０００９】
本発明の実施形態が提供するセル固有の基準信号の構成方法は、
セルを中央エリアとエッジエリアに分割するステップを含み、さらに、
セル固有基準符号ＣＲＳを中央ＣＲＳ、エッジＣＲＳおよび共通ＣＲＳに分割し、前記中央ＣＲＳはセル中央エリアが使用する伝送リソースセクションに位置してかつ前記中央エリア専用チャネルと同一符号であるＣＲＳであり、前記エッジＣＲＳはセルエッジエリアが使用する伝送リソースセクションに位置してかつ前記エッジエリア専用チャネルと同一符号であるＣＲＳであり、前記共通ＣＲＳは前記中央ＣＲＳおよびエッジＣＲＳ以外の、ダウンリンク共通チャネル周波数領域と隣接し、同一符号であるＣＲＳであるステップと、
設定された基準リソース単位あたりエネルギーＥＰＲＥに基づいて一定の第１パワー値を上げ、前記エッジＣＲＳのＥＰＲＥの値に構成するステップと、
設定された基準ＥＰＲＥに基づいて一定の第２パワー値を下げ、前記中央ＣＲＳのＥＰＲＥの値に構成するステップと、
基準ＥＰＲＥを前記共通ＣＲＳのＥＰＲＥの値に構成するステップとを含む。
本発明の実施形態が提供するセル固有の基準信号ＣＲＳの構成装置は、
セルを中央エリアとエッジエリアに分割することに用いられるセル分割ユニットと、
セル固有基準符号ＣＲＳを中央ＣＲＳ、エッジＣＲＳおよび共通ＣＲＳに分割することに用いられ、前記中央ＣＲＳはセル中央エリアが使用する伝送リソースセクションに位置してかつ前記中央エリアの専用チャネルと同一符号であるＣＲＳであり、前記エッジＣＲＳはセルエッジエリアが使用する伝送リソースセクションに位置してかつ前記エッジエリアの専用チャネルと同一符号であるＣＲＳであり、前記共通ＣＲＳは前記中央ＣＲＳおよびエッジＣＲＳ以外の、ダウンリンク共通チャネル周波数領域と隣接し、同一符号であるＣＲＳであるＣＲＳ分割ユニットと、
設定された基準リソース単位あたりエネルギーＥＰＲＥに基づいて一定の第１パワー値を上げ、前記エッジＣＲＳのＥＰＲＥの値に構成し、設定された基準ＥＰＲＥに基づいて一定の第２パワー値を下げ、前記中央ＣＲＳのＥＰＲＥの値に構成し、基準ＥＰＲＥを前記共通ＣＲＳのＥＰＲＥの値に構成することに用いられる構成ユニットとを含む。
【００１０】
本発明の実施形態は以下の効果を有する。
【００１１】
本発明の実施形態が提供するセル固有の基準信号の構成方法及び装置は、従来のＩＣＩＣ技術においてセルを中央エリアおよびエッジエリアに分割することに基づいて、ＣＲＳを中央ＣＲＳ、エッジＣＲＳおよび共通ＣＲＳに分割し、その中では、中央ＣＲＳのＥＰＲＥは設定された基準ＥＰＲＥに基づいて一定のパワーを下げ、エッジＣＲＳのＥＰＲＥは設定された基準ＥＰＲＥに基づいて一定のパワーを上げ、できる限りセル中央エリアＵＥダウンリンク性能に影響を与えない前提に、セルエッジエリアのＳＩＮＲを上げ、セルエッジエリアＵＥのダウンリンク性能を向上させる。
【００１２】
ＣＲＳパワーを基準に基づいて調整するため、ＵＥにとって透明だと思われることができ、従って、ＵＥが全バンド幅ダウンリンクチャネル品質指示（ＣＱＩ、Ｃｈａｎｎｅｌ  Ｑｕａｌｉｔｙ  Ｉｎｄｉｃａｔｏｒ）に対する測定に影響を与えなく、ＵＥのセル再選択およびハンドオーバーに影響を与えなく、従来のネットワークに対する影響が非常に小さく、これは従来のネットワークで本発明を実現することに有利である。
【図面の簡単な説明】
【００１３】
【図１】従来のＩＣＩＣ技術において各セルを中央エリアおよびエッジエリアに分割することを示す図である。
【００１４】
【図２】従来の技術において周波数領域に基づくＩＣＩＣの周波数領域分割を示す図である。
【００１５】
【図３】従来の技術において時間領域に基づくＩＣＩＣの時間領域分割を示す図である。
【００１６】
【図４】従来の技術において隣接セルＣＲＳ−ＲＥが周波数領域において位置がシフトされることを示す図である。
【００１７】
【図５】本発明の実施形態が提供するセル固有の基準信号の構成方法のフローチャートである。
【００１８】
【図６】本発明の実施形態が提供するＣＲＳを示す図である。
【００１９】
【図７】本発明の実施形態が提供するセル固有の基準信号の構成装置の構造を示す図である。
【００２０】
【図８】本発明の実施形態が提供する構成ユニットを示す図１である。
【００２１】
【図９】本発明の実施形態が提供する構成ユニットを示す図２である。
【発明を実施するための形態】
【００２２】
以下、図面を参照しながら、本発明の実施形態が提供するセル固有の基準信号（ＣＲＳ）の構成方法及び装置の具体的な実施形態に対して詳しく説明する。
【００２３】
まず、本発明の実施形態が提供するセル固有の基準信号の構成方法に対して詳しく説明する。
【００２４】
本発明の実施形態が提供するセル固有の基準信号の構成方法は、従来のＩＣＩＣ技術においてセルを中央エリアおよびエッジエリアに分割し、かつセルエッジエリアおよび中央エリアの専用チャネル（ＵＥ専用データをベアラするためのＰＤＳＣＨ及びＵＥ専用スケジュール情報をベアラするためのＰＤＣＣＨ）に対してパワーを調整することに基づいて、ＣＲＳに対してもパワー調整を行う。この構成方法は、図５に示すように、以下のステップＳ５０１〜ステップＳ５０５を含む。
【００２５】
Ｓ５０１：セルを中央エリアおよびエッジエリアに分割する。
【００２６】
Ｓ５０２：セル固有基準符号ＣＲＳを中央ＣＲＳ、エッジＣＲＳおよび共通ＣＲＳに分割する。
【００２７】
ステップＳ５０１では、セルを中央エリアおよびエッジエリアに分割することに基づいて、中央ＣＲＳはセル中央エリアが使用する伝送リソースセクションに位置してかつこの中央エリア専用チャネルと同一符号であるＣＲＳである。
【００２８】
エッジＣＲＳはセルエッジエリアが使用する伝送リソースセクションに位置してかつこのエッジエリア専用チャネルと同一符号であるＣＲＳである。
【００２９】
共通ＣＲＳは前記中央ＣＲＳおよびエッジＣＲＳ以外の、ダウンリンク共通チャネル周波数領域と隣接し、同一符号であるＣＲＳである。
【００３０】
専用チャネルは、ＵＥ専用データをベアラする物理ダウンリンク共有チャネルＰＤＳＣＨ（以下、「専用ＰＤＳＣＨ」と略称）及びＵＥ専用スケジュール情報をベアラする物理ダウンリンク制御チャネルＰＤＣＣＨ（以下、「専用ＰＤＣＣＨ」と略称）を含むが、これらに限られない。
【００３１】
共通チャネルは、ＰＢＣＨ、ＰＣＦＩＣＨ、ＰＨＩＣＨ、スケジュールＢＣＨとＰＣＨをベアラするＰＤＣＣＨ（以下、「共通ＰＤＣＣＨ」と略称）、ＢＣＨとＰＣＨデータをベアラするＰＤＳＣＨ（以下、「共通ＰＤＳＣＨ」と略称）を含むが、これらに限られない。
【００３２】
図６の２つのアンテナポート下のＣＲＳ模式図を例とし、縦軸は時間軸であり、横軸は周波数領域軸であり、その中では、柄背景のボックスはＣＲＳを示し、ＣＲＳが専用チャネルまたは共通チャネルと同一符号であるとは、ＣＲＳがこのチャネルと時間軸において位置が同じであることを指す。
【００３３】
Ｓ５０３：設定された基準リソース単位あたりエネルギーＥＰＲＥに基づいて一定の第１パワー値を上げ、エッジＣＲＳのＥＰＲＥの値に構成する。
【００３４】
Ｓ５０４：設定された基準ＥＰＲＥに基づいて一定の第２パワー値を下げ、中央ＣＲＳのＥＰＲＥの値に構成する。
【００３５】
Ｓ５０５：基準ＥＰＲＥを共通ＣＲＳのＥＰＲＥの値に構成する。
【００３６】
上述されたステップＳ５０３およびＳ５０４では、第１パワー値および第２パワー値の確定方法は、従来のＩＣＩＣ技術において専用チャネルＥＰＲＥに対するパワー調整値を直接援用してもよく、システム模擬およびネットワークテスト等に合わせて、従来のＩＣＩＣ技術において専用チャネルＥＰＲＥに対するパワー調整値に基づいて、更に調整してもよい。具体的には、以下の２種の場合を含む。
場合１：
【００３７】
伝送リソースが周波数領域に基づく場合に、この場合で、従来のＩＣＩＣ技術はセルエッジエリアおよび中央エリアの専用ＰＤＳＣＨのＥＰＲＥだけに対して基準パワーに基づいて調整するが、専用ＰＤＣＣＨのＥＰＲＥに対して基準パワーを用い、調整しないため、中央ＣＲＳおよびエッジＣＲＳのＥＰＲＥのパワー調整値は、専用ＰＤＳＣＨのＥＰＲＥのパワー調整値を参照することができる。
【００３８】
まず、従来のＩＣＩＣ技術に基づいて設定されたセルエッジエリアの専用ＰＤＳＣＨのＥＰＲＥと基準ＥＰＲＥとの第１差値（Ｎ１）、及びセル中央エリアの専用ＰＤＳＣＨのＥＰＲＥと基準ＥＰＲＥとの第２差値（Ｎ２）を確定する。
【００３９】
仮にエッジＣＲＳのＥＰＲＥの値を上げる必要となる第１パワー値をＭ１とし、中央ＣＲＳのＥＰＲＥの値を下げる必要となる第２パワー値をＭ２とする。
【００４０】
方法１：Ｍ１＝Ｎ１、Ｍ２＝Ｎ２と直接設定し、即ち調整後のエッジＣＲＳのパワーとセルエッジエリアの専用ＰＤＳＣＨのパワーとは一定のパワー差を保持し、このようにして、従来のＩＣＩＣ技術では、専用チャネルの調整値はすでに隣接セルに対する干渉を下げるおよびこのセル中央エリア専用チャネルの性能に影響を与えない目的を達成できるため、この調整値を直接使用し、一方、類似な技術効果を達することができ、他方、セルＵＥへＣＲＳとＰＤＳＣＨとの新たなパワー差を送信することを避け、シグナリングオーバーヘッドを節約する。
【００４１】
方法２：システム模擬およびネットワークテストの結果により、Ｎ１に基づいて調整を行い、Ｍ１を取得する。Ｎ２に基づいて調整を行い、Ｍ２を取得する。
【００４２】
エッジＣＲＳ（または中央ＣＲＳ）と同一符号であるセルエッジエリアの専用ＰＤＳＣＨ（またはセル中央エリアの専用ＰＤＳＣＨ）の調整量とは一致しなければ、調整後のＣＲＳと専用ＰＤＳＣＨとのパワー差が変化するようになり、この時、新たなセルエッジエリアの専用ＰＤＳＣＨとＣＲＳとのＥＰＲＥパワー差、セル中央エリアの専用ＰＤＳＣＨとＣＲＳとのＥＰＲＥパワー差を、例えばシグナリング再構成メッセージによりセルにおけるＵＥに通知する。
【００４３】
上述された方法１を用いるかまたは方法２を用いるかにも関わらず、Ｎ１、Ｍ１、Ｎ２およびＭ２の値が、構成されたセル中央エリアの専用ＰＤＳＣＨと中央ＣＲＳ、セルエッジエリアの専用ＰＤＳＣＨとエッジＣＲＳ、共通ＣＲＳとセル共通チャネルは、同一符号におけるパワーの和がセル最大パワー以下であることを満たさなければならない。
場合２：
【００４４】
伝送リソース時間領域に基づく場合に、この場合で、従来のＩＣＩＣ技術はセルエッジエリアまたは中央エリアの専用ＰＤＳＣＨ、及び専用ＰＤＣＣＨのＥＰＲＥに対して基準パワーに基づいてそれぞれ調整を行う必要があるため、この場合に、専用ＰＤＳＣＨと同一符号である中央ＣＲＳおよびエッジＣＲＳのＥＰＲＥのパワー調整値は、それぞれセル中央エリアおよびセルエッジエリアの専用ＰＤＳＣＨのＥＰＲＥのパワー調整値を参照することができる。専用ＰＤＣＣＨと同一符号である中央ＣＲＳおよびエッジＣＲＳのＥＰＲＥのパワー調整値は、それぞれセル中央エリアおよびセルエッジエリアの専用ＰＤＣＣＨのＥＰＲＥのパワー調整値を参照することができる。
【００４５】
具体的には、まず従来のＩＣＩＣ技術に基づいて設定されたセルエッジエリアの専用ＰＤＳＣＨのＥＰＲＥと基準ＥＰＲＥとの第１差値（Ｎ１）、セル中央エリアの専用ＰＤＳＣＨのＥＰＲＥと基準ＥＰＲＥとの第２差値（Ｎ２）、セルエッジエリアの専用ＰＤＣＣＨのＥＰＲＥと基準ＥＰＲＥとの第３差値（Ｎ３）、及びセル中央エリアの専用ＰＤＣＣＨのＥＰＲＥと基準ＥＰＲＥとの第４差値（Ｎ４）を確定する。
【００４６】
前記場合１と類似し、セルエッジエリアの専用ＰＤＳＣＨと同一符号であるエッジＣＲＳのＥＰＲＥの第１パワー値（即ち、基準パワー値に比べると、調整する必要なパワー値、Ｍ１）、セル中央エリアの専用ＰＤＳＣＨと同一符号である中央ＣＲＳのＥＰＲＥの第２パワー値（Ｍ２）、セルエッジエリアの専用ＰＤＣＣＨと同一符号であるエッジＣＲＳのＥＰＲＥの第１パワー値（Ｍ３）、及びセル中央エリアの専用ＰＤＣＣＨと同一符号である中央ＣＲＳのＥＰＲＥのの第２パワー値（Ｍ４）の値の確定は、以下の２種の方法により構成できる。
【００４７】
方法１：Ｍ１＝Ｎ１、Ｍ２＝Ｎ２、Ｍ３＝Ｎ３、Ｍ４＝Ｎ４と直接設定し、即ち調整後のエッジＣＲＳと同一符号であるセルエッジエリアの専用ＰＤＳＣＨまたは専用ＰＤＣＣＨとは一定のパワー差を保持し、調整後の中央ＣＲＳと同一符号であるセル中央エリアの専用ＰＤＳＣＨまたは専用ＰＤＣＣＨとは一定のパワー差を保持し、このようにして、一方、このセル中央ＣＲＳ性能に影響を与えない前提に、中央ＣＲＳが隣接セルに対する干渉を下げ、他方、ＵＥにこのパワー差を通知する必要がないため、シグナリングオーバーヘッドを節約する。
【００４８】
方法２：システム模擬およびネットワークテストの結果により、Ｎ１に基づいて調整を行い、Ｍ１を取得する。Ｎ２に基づいて調整を行い、Ｍ２を取得する。Ｎ３に基づいて調整を行い、Ｍ３を取得し、及びＮ４に基づいて調整を行い、Ｍ４を取得する。
【００４９】
場合１と類似し、この方法下で、ＣＲＳと同一符号であるＰＤＳＣＨとのパワー差は、構成前に比べて変化するため、構成後のセルエッジエリアの専用ＰＤＳＣＨと同一符号であるＣＲＳとのＥＰＲＥパワー差、セル中央エリアの専用ＰＤＳＣＨと同一符号であるＣＲＳとのＥＰＲＥパワー差を、シグナリング再構成メッセージによりセルにおけるＵＥを通知する必要がある。
【００５０】
上述された方法１を用いるかまたは方法２を用いるかにも関わらず、Ｎ１、Ｍ１、Ｎ２、Ｍ２、Ｎ３、Ｍ３、Ｎ４およびＭ４の値が、構成されたセル中央エリアの専用ＰＤＳＣＨととそれと同一符号である中央ＣＲＳ、セルエッジエリアの専用ＰＤＳＣＨとそれと同一符号であるエッジＣＲＳ、セル中央エリアの専用ＰＤＣＣＨとそれと同一符号である中央ＣＲＳ、セルエッジエリアの専用ＰＤＣＣＨとそれと同一符号であるエッジＣＲＳ、共通ＣＲＳ及びセル共通チャネルは、同一符号におけるパワーの和がセル最大パワー以下であることを満たさなければならない。
【００５１】
本発明の実施形態が提供する前記セル固有の基準信号の構成方法を更に詳しく説明するために、以下、それぞれ伝送リソースが周波数領域と時間領域に基づく例を挙げて説明する。
実例１
【００５２】
この実例１は周波数領域に基づいて伝送リソースを分割する。
【００５３】
具体的な構成プロセスは以下のとおりである。
【００５４】
ＬＴＥセルの周波数バンドのバンド幅を２０Ｍｈｚとし、１００つのＲＢ（リソースブロック、Ｒｅｓｏｕｒｃｅ  Ｂｌｏｃｋ）を使用でき、即ち、１２００つのＲＥとなる。通常サイクリックプレフィックス（ＣＰ、Ｃｙｃｌｉｃ  Ｐｒｅｆｉｘ）であり、基地局アンテナは２アンテナであり、最大送信パワーは４０Ｗであり、即ち４６ｄＢｍとなる。
【００５５】
ＩＣＩＣの実施前に、ＣＲＳリソース単位あたりエネルギー（ＣＲＳ−ＲＥ）の基準パワーＥＰＲＥを１２ｄＢｍとし、ＰＤＳＣＨ−ＲＥのパワーがＣＲＳ−ＲＥ基準パワーに対する比値を０ｄＢとし、即ち１２ｄＢｍに等しく、このようにして、ＰＤＳＣＨと同一符号であるＣＲＳとの合計パワーは、１２＋１０＊Ｌｏｇ１２００＝４２．７９ｄＢｍとなり、セル最大パワー４６ｄＢｍ以下であるので、パワーオーバーロードを発生しない。
【００５６】
ＩＣＩＣを実施し、セルを中央エリアおよびエッジエリアに分け、その中では、エッジエリアに３０つのＲＢの周波数バンドリソースを配分し、中央エリアに６０つのＲＢの周波数バンドリソース（エッジ周波数バンドリソースが占用されなければ、臨時に中央周波数バンドリソースに転換して使用してもよい）を配分し、残った１０つのＲＢをダウンリンク共通チャネルと共通ＣＲＳに預かり、この１０つのＲＢをエッジエリア周波数バンドと中央エリア周波数バンドとの間に置く。周波数領域に基づくＩＣＩＣは専用ＰＤＳＣＨのみに対して中央とエッジの分割を行うことができるため、ＰＤＳＣＨ同一符号であるＣＲＳのみに対して分割を行うことができる。これによって、エッジＣＲＳは３０＊４＝１２０つのＲＥがあり、エッジＰＤＳＣＨは３０＊８＝２４０つのＲＥがあり、中央ＣＲＳは６０＊４＝２４０つのＲＥがあり、中央ＰＤＳＣＨは６０＊８＝４８０つのＲＥがある。
【００５７】
エッジ３０つのＲＢ周波数バンド内のＰＤＳＣＨ−ＲＥパワー及び同一符号であるエッジＣＲＳ−ＲＥパワーを元の基準パワーに基づいて３ｄＢを増加し、即ち１５ｄＢｍとなる。
【００５８】
中央６０つのＲＢ周波数バンド内のＰＤＳＣＨ−ＲＥパワー及び同一符号である中央ＣＲＳ−ＲＥパワーを元の基準パワーに基づいて３ｄＢを下げ、即ち９ｄＢｍとなる。
【００５９】
残った１０つのＲＢ周波数バンド内の共通ＰＤＳＣＨおよび共通ＣＲＳのパワーに対して調整を行わなく、依然として１２ｄＢｍである。
【００６０】
調整後のＰＤＳＣＨと同一符号であるＣＲＳとの総合パワーは、１０＊Ｌｏｇ（１０．＾(１５／１０)＊１２０＋１０．＾(１５／１０)＊２４０＋１０．＾(９／１０)＊２４０＋１０．＾(９／１０)＊４８０＋１０．＾(１２／１０)＊１２０）＝４２．７９ｄＢｍとなり、依然としてセル最大パワー４６ｄＢｍ以下であるので、パワーオーバーロードが生じない。
実例２
【００６１】
この実例２は時間領域に基づいて伝送リソースを分割する。
【００６２】
具体的な構成プロセスは以下のとおりである。
【００６３】
ＬＴＥセルの周波数バンドのバンド幅を２０Ｍｈｚとし、１００つのリソースブロック（ＲＢ、Ｒｅｓｏｕｒｃｅ  Ｂｌｏｃｋ）を使用でき、即ち、１２００つのＲＥとなる。通常サイクリックプレフィックス（ＣＰ、Ｃｙｃｌｉｃ  Ｐｒｅｆｉｘ）であり、基地局アンテナは２アンテナであり、最大送信パワーは４０Ｗであり、即ち４６ｄＢｍとなる。
【００６４】
周波数分割複信（ＦＤＤ、Ｆｒｅｑｕｅｎｃｙ  Ｄｉｖｉｓｉｏｎ  Ｄｕｐｌｅｘ）方法のＬＴＥであれば、１つのダウンリンク無線フレームには、１０つのダウンリンク無線サブフレーム（ＳＦ、Ｓｕｂ  Ｆｒａｍｅ）、即ち、ＳＦ０〜ＳＦ９を有し、時分割複信（ＴＤＤ、Ｔｉｍｅ  Ｄｉｖｉｓｉｏｎ  Ｄｕｐｌｅｘ）方法のＬＴＥであれば、アップダウンリンクを１と構成すると、１つの無線フレームには、６つのダウンリンクサブフレーム、即ち、ＳＦ０、ＳＦ１、ＳＦ４、ＳＦ５、ＳＦ６、ＳＦ９を有し、４つのアップリンクサブフレーム、即ち、ＳＦ２、ＳＦ３、ＳＦ７、ＳＦ８を有する。以下のステップでは、ＦＤＤを例（ＴＤＤダウンリンクＳＦは比較的に少なく、実施時間領域ＩＣＩＣは更に複雑であるが、原理は類似するので、ここで、詳細な記述は不要である。）とする。
【００６５】
ＩＣＩＣの実施前に、ＣＲＳ−ＲＥの基準パワーＥＰＲＥを１２ｄＢｍとし、ＰＤＣＣＨ−ＲＥ、ＰＢＣＨ−ＲＥ、ＰＣＨＩＣＨ−ＲＥ、ＰＨＩＣＨ−ＲＥ、ＰＤＳＣＨ−ＲＥのパワーがＣＲＳ−ＲＥ基準パワーに対する比値をいずれも０ｄＢと設定し、即ち、１２ｄＢｍと設定し、このようにして、ＰＤＣＣＨが位置する符号であってもＰＤＳＣＨが位置する符号の合計パワーであっても、いずれも１２＋１０＊Ｌｏｇ１２００＝４２．７９ｄＢｍとなり、セル最大パワー４６ｄＢｍより小さいので、パワーオーバーロードが生じない。
【００６６】
ＩＣＩＣを実施し、セルを中央エリアおよびエッジエリアに分割し、その中では、エッジエリアに３つのＳＦの時間期間リソースを配分し、中央エリアに６つのＳＦの時間期間リソース（エッジ周波数バンドリソースが占用されなければ、臨時に中央周波数バンドリソースに転換して使用してもよい）を配分し、残った１つのＳＦの時間期間リソースをダウンリンク共通チャネルおよび共通ＣＲＳに預かる。スケジュールプロセスの特徴により、ＰＤＣＣＨはＰＤＳＣＨのエッジエリア時間期間リソースより４つのＳＦが少なくなり、中央エリア時間期間リソースも４つのＳＦが少なくなり、例えばエッジエリアに配分したＰＤＣＣＨダウンリンク時間期間は「ＳＦ１＆ＳＦ２＆ＳＦ３」であれば、ＰＤＳＣＨダウンリンク時間期間は「ＳＦ５＆ＳＦ６＆ＳＦ７」となり、中央エリアに配分したＰＤＣＣＨダウンリンク時間期間は「ＳＦ４＆ＳＦ５＆ＳＦ６＆ＳＦ７＆ＳＦ８＆ＳＦ９」であれば、ＰＤＳＣＨダウンリンク時間期間は「ＳＦ８＆ＳＦ９＆ＳＦ０＆ＳＦ１＆ＳＦ２＆ＳＦ３」となり、ＳＦ０をダウンリンク共通ＰＤＣＣＨに配分して使用し、ＳＦ４をダウンリンク共通ＰＤＳＣＨに配分して使用する。
【００６７】
ＰＤＣＣＨ中央エリアＳＦ内の専用ＰＤＣＣＨ及び同一符号である中央ＣＲＳのパワー、ＰＤＳＣＨ中央エリアＳＦ内の専用ＰＤＳＣＨ及び同一符号である中央ＣＲＳのパワーをいずれも基準パワーに基づいて３ｄＢをまたは更に低く下げるが、共通チャネル、例えば、ＰＢＣＨ、ＰＣＦＩＣＨ、ＰＨＩＣＨ、共通ＰＤＣＣＨ、共通ＰＤＳＣＨ及び同一符号である、周波数領域隣接の共通ＣＲＳパワーは変わらない。パワー低減であるため、パワーオーバーロードが生じない。
【００６８】
ＰＤＣＣＨエッジエリアＳＦ内の専用ＰＤＣＣＨ及び同一符号であるエッジＣＲＳのパワー、ＰＤＳＣＨエッジエリアＳＦ内の専用ＰＤＳＣＨ及び同一符号であるエッジＣＲＳのパワーをいずれも基準パワーに基づいて３ｄＢを増加するが、共通チャネル、例えばＰＢＣＨ、ＰＣＦＩＣＨ、ＰＨＩＣＨ、共通ＰＤＣＣＨ、共通ＰＤＳＣＨ及び同一符号である、周波数領域隣接のＣＲＳパワーは不変したり、３ｄＢを増加したり、このようにして、ＣＲＳが位置する符号の合計パワーは最大にも４２．７９＋３＝４５．７９ｄＢｍとなり、依然として４６ｄＢｍの最大パワーより小さいので、パワーオーバーロードが生じない。
【００６９】
ＳＦ０、ＳＦ４における共通ダウンリンクＰＤＣＣＨ、共通ダウンリンクＰＤＳＣＨ及びその同一符号である、周波数領域隣接の共通ＣＲＳのパワーに対していずれも調整しなく、依然として１２ｄＢｍであり、このため、セルパワーオーバーロードが生じない。
【００７０】
本発明の実施形態が提供する上述のセル固有の基準信号の構成方法は、また１つの角度から見れば、エッジＣＲＳが中央ＣＲＳのパワーを借り、このようにして、実際にパワー共有を実現し、セル中央とエッジとのカバー差異を下げ、セルのカバーを更に均一、平衡にさせ、セルカバー公平性を上げ、パワーの利用効率を向上させる。また、セルエッジＣＲＳのパワーを増強したため、隣接セル同一符号であるチャネルがセルエッジに対する同一周波数干渉を下げ、ＣＲＳ自身機能に影響を与えない前提に、セルエッジＵＥのダウンリンク性能を著しく向上させる。
【００７１】
ＣＲＳパワーのみに調整するため、ＣＲＳに対して振幅重み付けを行うことに当たり、真実的な無線伝送チャネルの前に特殊振幅周波数応答特性（中央伝送リソースセクションの振幅周波数応答は低く、エッジ伝送リソースセクションの振幅周波数応答は高い）を有する仮想無線伝送チャネルを構築することに類似し、ＵＥにとって、透明と思われることができる。ネットワークにおいてすべてのセルはいずれもこの方法を用いれば、ＵＥが全バンド幅のダウンリンクチャネル品質指示（ＣＱＩ、Ｃｈａｎｎｅｌ  Ｑｕａｌｉｔｙ  Ｉｎｄｉｃａｔｏｒ）の測定に影響を与えなく、ＵＥのセル再選択およびハンドオーバーに影響を与えない。かつ、ＵＥが一部のバンド幅のサブバンドＣＱＩ測定をサポートするため、ＵＥがＣＲＳチャネル推定に基づいて行われるダウンリンク信号復調にも問題はない。また、ｅＮＢはセル内ＣＲＳのパワー調整が分かるため、補償算出により影響を除去し、無線伝送チャネルの真実場合を還元する。本発明の実施形態が提供した上述のセル固有の基準信号の構成方法は従来のネットワークに対する影響も非常に小さく、無視してもよく、従って、従来のネットワークで実施することに便利である。
【００７２】
同一発明発想に基づき、本発明の実施形態は更にセル固有の基準信号の構成装置を提供し、このセル固有の基準信号の構成装置が問題を解決する原理は前述セル固有の基準信号の構成方法と類似するため、これら装置の実施は前述方法の実施を参照することができ、重複な箇所の記述は不要である。
【００７３】
本発明の実施形態が提供するセル固有の基準信号の構成装置は、図７に示すように、７０１〜７０４を含む。
【００７４】
セル分割ユニット７０１は、セルを中央エリアおよびエッジエリアに分割することに用いられる。
【００７５】
ＣＲＳ分割ユニット７０２は、セル固有基準符号ＣＲＳを中央ＣＲＳ、エッジＣＲＳおよび共通ＣＲＳに分割することに用いられ、前記中央ＣＲＳはセル中央エリアが使用する伝送リソースセクションに位置してかつこの中央エリアの専用チャネルと同一符号であるＣＲＳであり、前記エッジＣＲＳはセルエッジエリアが使用する伝送リソースセクションに位置してかつこのエッジエリアの専用チャネルと同一符号であるＣＲＳであり、前記共通ＣＲＳは前記中央ＣＲＳおよびエッジＣＲＳ以外の、ダウンリンク共通チャネル周波数領域と隣接し、同一符号であるＣＲＳである。
【００７６】
構成ユニット７０３は、設定された基準リソース単位あたりエネルギーＥＰＲＥに基づいて一定の第１パワー値を上げ、前記エッジＣＲＳのＥＰＲＥの値に構成し、設定された基準ＥＰＲＥに基づいて一定の第２パワー値を下げ、前記中央ＣＲＳのＥＰＲＥの値に構成し、基準ＥＰＲＥを前記共通ＣＲＳのＥＰＲＥの値に構成することに用いられる。
【００７７】
伝送リソースを周波数領域に基づいて分割する場合に、上述された構成ユニット７０３は、図８に示すように、確定サブユニット８０１と値取得サブユニット８０２とを更に含む。
方法１：
【００７８】
確定サブユニット８０１は、設定されたセルエッジエリアの専用ＰＤＳＣＨのＥＰＲＥと基準ＥＰＲＥとの第１差値及びセル中央エリアの専用ＰＤＳＣＨのＥＰＲＥと基準ＥＰＲＥとの第２差値を確定することに用いられる。
【００７９】
値取得サブユニット８０２は、第１パワー値を第１差値に等しく、第２パワー値を第２差値に等しいように設定することに用いられる。
方法２：
【００８０】
確定サブユニット８０１は、設定されたセルエッジエリアの専用ＰＤＳＣＨのＥＰＲＥと基準ＥＰＲＥとの第１差値及びセル中央エリアの専用ＰＤＳＣＨのＥＰＲＥと基準ＥＰＲＥとの第２差値を確定することに用いられる。
【００８１】
値取得サブユニット８０２は、システム模擬およびネットワークテストの結果により、第１差値に基づいて調整を行い、第１パワー値を取得し、第２差値に基づいて調整を行い、第２パワー値を取得することに用いられる。
【００８２】
方法２で、本発明の実施形態が提供するセル固有の基準信号の構成装置は、図７に示すように、更に、構成後のセルエッジエリアの専用ＰＤＳＣＨとエッジＣＲＳとのＥＰＲＥパワー差、セル中央エリアの専用ＰＤＳＣＨと中央ＣＲＳとのＥＰＲＥパワー差を、シグナリング再構成メッセージによりセルにおけるＵＥに通知することに用いられるシグナリング再構成メッセージ送信ユニット７０４を含む。
【００８３】
この場合に、方法１であっても、方法２であっても、第１差値、第１パワー値、第２差値および第２パワー値が、構成されたセル中央エリアの専用ＰＤＳＣＨと中央ＣＲＳ、セルエッジエリアの専用ＰＤＳＣＨとエッジＣＲＳ、共通ＣＲＳとセル共通チャネルは同一符号におけるパワーの和がセル最大パワー以下であることを満たさなければならない。
【００８４】
伝送リソースを時間領域に基づいて分割する場合に、上述された構成ユニット７０３は、図９に示すように、更に、確定サブユニット９０１と値取得サブユニット９０２とを含む。
方法１：
【００８５】
確定サブユニット９０１は、設定されたセルエッジエリアの専用ＰＤＳＣＨのＥＰＲＥと基準ＥＰＲＥとの第１差値、セル中央エリアの専用ＰＤＳＣＨのＥＰＲＥと基準ＥＰＲＥとの第２差値、セルエッジエリアの専用ＰＤＣＣＨのＥＰＲＥと基準ＥＰＲＥとの第３差値及びセル中央エリアの専用ＰＤＣＣＨのＥＰＲＥと基準ＥＰＲＥとの第４差値を確定することに用いられる。
【００８６】
値取得サブユニット９０２は、それぞれ専用ＰＤＳＣＨと同一符号であるエッジＣＲＳの第１パワー値を前記第１差値に等しく、専用ＰＤＳＣＨと同一符号である中央ＣＲＳの第２パワー値を前記第２差値に等しく、専用ＰＤＣＣＨと同一符号であるエッジＣＲＳの第１パワー値を前記第３差値に等しく、専用ＰＤＣＣＨと同一符号である中央ＣＲＳの第２パワー値を前記第４差値に等しいように設定することに用いられる。
方法２：
【００８７】
確定サブユニット９０１は、設定されたセルエッジエリアの専用ＰＤＳＣＨのＥＰＲＥと基準ＥＰＲＥとの第１差値、設定されたセル中央エリアの専用ＰＤＳＣＨのＥＰＲＥと基準ＥＰＲＥとの第２差値、設定されたセルエッジエリアの専用ＰＤＣＣＨのＥＰＲＥと基準ＥＰＲＥとの第３差値、設定されたセル中央エリアの専用ＰＤＣＣＨのＥＰＲＥと基準ＥＰＲＥとの第４差値を確定することに用いられる。
【００８８】
値取得サブユニット９０２は、システム模擬およびネットワークテストの結果に基づいて、それぞれ上述した第１差値、第２差値、第３差値および第４差値に基づいて調整を行い、専用ＰＤＳＣＨと同一符号であるエッジＣＲＳの第１パワー値、専用ＰＤＳＣＨと同一符号である中央ＣＲＳの第２パワー値、専用ＰＤＣＣＨと同一符号であるエッジＣＲＳの第１パワー値、専用ＰＤＣＣＨと同一符号である中央ＣＲＳの第２パワー値を取得することに用いられる。
【００８９】
上述された方法２で、方法１と類似し、本発明の実施形態が提供するセル固有の基準信号の構成装置は、図７に示すように、更に、構成後のセルエッジエリアの専用ＰＤＳＣＨと同一符号であるエッジＣＲＳとのＥＰＲＥパワー差及びセル中央エリアの専用ＰＤＳＣＨと同一符号である中央ＣＲＳとのＥＰＲＥパワー差を、シグナリング再構成メッセージによりセルにおけるＵＥに通知することに用いられるシグナリング再構成メッセージ送信ユニット７０４を含む。
【００９０】
この場合に、方法１であっても、方法２であっても、第１差値、専用ＰＤＳＣＨと同一符号であるエッジＣＲＳの第１パワー値、第２差値、専用ＰＤＳＣＨと同一符号である中央ＣＲＳの第２パワー値、第３差値、専用ＰＤＣＣＨと同一符号であるエッジＣＲＳの第１パワー値、第４差値及び専用ＰＤＣＣＨと同一符号である中央ＣＲＳの第２パワー値が、構成されたセル中央エリアの専用ＰＤＣＣＨ、専用ＰＤＳＣＨと中央ＣＲＳ、セルエッジエリアの専用ＰＤＣＣＨ、専用ＰＤＳＣＨとエッジＣＲＳ、共通ＣＲＳ及びセル共通チャネルは、同一な符号でのパワーの和がセル最大パワー以下であることを満たさなければならない。
【００９１】
明らかに、当業者は本発明の精神と範囲から脱離しない前提に、本発明に対して様々な修正および変型を行うことができる。このようにして、本発明のこれら修正および変型が本発明のクレーム及びその均等技術の範囲の内に含まれば、本発明はこれら修正と変型を含む意図とする。
（工業実用性）
【００９２】
本発明の実施形態が提供したセル固有の基準信号の構成方法及び装置は、従来のＩＣＩＣ技術においてセルを中央エリアおよびエッジエリアに分割するに基づいて、ＣＲＳを中央ＣＲＳ、エッジＣＲＳおよび共通ＣＲＳに分割し、その中では、中央ＣＲＳのＥＰＲＥは設定された基準ＥＰＲＥに基づいて一定のパワーを下げ、エッジＣＲＳのＥＰＲＥは設定された基準ＥＰＲＥに基づいて一定のパワーを向上させ、できるだけセル中央エリアＵＥダウンリンク性能に影響を与えない前提下で、セルエッジエリアのＳＩＮＲを上げ、セルエッジエリアＵＥのダウンリンク性能を向上させる。
【００９３】
ＣＲＳパワーを基準に基づいて調整するため、ＵＥにとって透明と思われることができ、従って、ＵＥが全バンド幅ダウンリンクチャネル品質指示に対する測定に影響を与えなく、ＵＥのセル再選択およびハンドオーバーに影響を与えなく、従来のネットワークに対する影響が非常に小さく、これは従来のネットワークで本発明を実現することに有利である。
【図１】
0005668176.tif 000002
【図２】
0005668176.tif 000003
【図３】
0005668176.tif 000004
【図４】
0005668176.tif 000005
【図５】
0005668176.tif 000006
【図６】
0005668176.tif 000007
【図７】
0005668176.tif 000008
【図８】
0005668176.tif 000009
【図９】
0005668176.tif 000010